(57)【特許請求の範囲】
【請求項１】
破砕不適物を含む廃棄物の先端を支持突起により支持して自由な移行を阻止し、回転軸に多数の破砕刃を間隔を設けて突出して取り付けた第１破砕ローラによって、粗く破砕する一次破砕を行い、前記破砕不適物を破砕することなく通過させ、破砕対象物をさらに小さく破砕する二次破砕を行った後、破砕することなく通過させた破砕不適物と二次破砕された破砕物とを分離して排出することを特徴とする破砕不適物を含む廃棄物の破砕方法。
【請求項２】
回転軸に多数の破砕刃を間隔を設けて突出して取り付けた第１破砕ローラと、該第１破砕ローラの直下位置のホッパの底板に配設した支持突起と、その後方に配備される対をなす第２破砕ローラ及び第３破砕ローラとを備え、前記第１破砕ローラの各破砕刃は、廃棄物に含まれる破砕不適物の通過を許容する間隙を有し、前記第２破砕ローラはスクリュー刃を備え、また、前記第３破砕ローラは主スクリュー刃と、該主スクリュー刃とで桝目を形成するように主スクリュー刃とは逆方向のねじれの粗いピッチの副スクリュー刃とを備え、かつ、前記各スクリュー刃は、前記破砕不適物の通過を許容するピッチに形成することにより、第１破砕ローラ並びに第２破砕ローラ及び第３破砕ローラにおいて、前記破砕不適物を破砕することなく通過させることを特徴とする破砕不適物を含む廃棄物の破砕装置。
【請求項３】
破砕不適物を含む廃棄物を投入するホッパを備え、該ホッパに、投入された廃棄物を第１破砕ローラに向けて押し出す押し込み機構を設け、該押し込み機構と前記支持突起とにより、破砕対象物を第１破砕ローラにより噛み込むようにして破砕することを特徴とする請求項２記載の破砕不適物を含む廃棄物の破砕装置。
【請求項４】
第３破砕ローラの主スクリュー刃に、破断刃を着脱可能に突出して取り付けたことを特徴とする請求項２又は３記載の破砕不適物を含む廃棄物の破砕装置。
【請求項５】
排出される破砕物を受けるコンベアを備え、該コンベアは、所要の傾斜角を付与して設置し、排出される破砕不適物を自重により落下させ、破砕された破砕物をコンベアに載せて上方に移行させることを特徴とする請求項２、３又は４記載の破砕不適物を含む廃棄物の破砕装置。
【発明の詳細な説明】
技術分野
本発明は、廃棄物破砕装置に関し、例えば、家庭等より不燃性粗大ゴミとして排出される家電製品等の廃棄物に含まれるモータ、コンプレッサ等の破砕の困難な塊状物（本明細書において「破砕不適物」という。）を、破砕作用により変形させることなく、他のフレーム材等（本明細書において「破砕対象物」という。）のみを破砕（本明細書において「圧潰」を含む。）し、破砕不適物を分離して取り出すことができるようにした破砕不適物を含む廃棄物の破砕方法及びその装置に関するものである。
背景技術
家電製品等の廃棄物の破砕処理には、従来、ハンマ式破砕装置、２軸破砕装置、３軸破砕装置等が用いられている。
ところで、家電製品等の廃棄物、例えば、冷蔵庫（この場合、フロンガスは予め適宜手段で抜かれている。）を破砕処理する場合、フレーム材等はそのまま破砕できるが、モータやコンプレッサの塊状物は、破砕することが困難であるため、予めこれらを手作業で取り除き、その後、フレーム材等を上記破砕装置により破砕する手段が採用されている。
しかしこの方法は、モータやコンプレッサの塊状物を手作業で取り除く作業に極めて手数を要するという問題があった。
一方、モータやコンプレッサを取り除くことなく冷蔵庫をそのまま破砕装置にかけると、モータやコンプレッサが破砕作用により変形し、その後の分解が困難となり、有価物の回収率が著しく低下するという問題があった。
また、ハンマ式破砕装置は、廃棄物に混入している物質によって、爆発が起こりやすく危険であるという問題があった。
発明の開示
本発明は、上記の破砕不適物を含む廃棄物の破砕処理の有する問題点に鑑み、モータ、コンプレッサ等の破砕不適物を取り除くことなく廃棄物をそのまま破砕するようにしても、破砕不適物を変形することなく分離して排出し、フレーム等の破砕対象物を確実に破砕することができ、有価物の回収率を高めることができる破砕不適物を含む廃棄物の破砕方法及びその装置を提供することを目的とする。
上記目的を達成するため、本発明の破砕不適物を含む廃棄物の破砕方法は、破砕不適物を含む廃棄物の先端を支持突起により支持して自由な移行を阻止し、回転軸に多数の破砕刃を間隔を設けて突出して取り付けた第１破砕ローラによって、粗く破砕する一次破砕を行い、前記破砕不適物を破砕することなく通過させ、破砕対象物をさらに小さく破砕する二次破砕を行った後、破砕することなく通過させた破砕不適物と二次破砕された破砕物とを分離して排出することを特徴とする。
本発明の破砕不適物を含む廃棄物の破砕方法は、供給される廃棄物中に破砕不適物が存在しても、破砕不適物は、一次、二次破砕の際、破砕されることなく通過させるようにするとともに、破砕対象物のみを一次、二次破砕により確実に破砕して、有価物の回収率を高めることができる。
また、この廃棄物の破砕方法を実施する本発明の破砕不適物を含む廃棄物の破砕装置は、回転軸に多数の破砕刃を間隔を設けて突出して取り付けた第１破砕ローラと、該第１破砕ローラの直下位置のホッパの底板に配設した支持突起と、その後方に配備される対をなす第２破砕ローラ及び第３破砕ローラとを備え、前記第１破砕ローラの各破砕刃は、廃棄物に含まれる破砕不適物の通過を許容する間隙を有し、前記第２破砕ローラはスクリュー刃を備え、また、前記第３破砕ローラは主スクリュー刃と、該主スクリュー刃とで桝目を形成するように主スクリュー刃とは逆方向のねじれの粗いピッチの副スクリュー刃とを備え、かつ、前記各スクリュー刃は、前記破砕不適物の通過を許容するピッチに形成することにより、第１破砕ローラ並びに第２破砕ローラ及び第３破砕ローラにおいて、前記破砕不適物を破砕することなく通過させることを特徴とする。
この破砕不適物を含む廃棄物の破砕装置は、供給される廃棄物中に破砕不適物が存在しても、破砕不適物は、第１破砕ローラの破砕刃の間隙、第２破砕ローラ及び第３破砕ローラの各スクリュー刃の間隙に入り込んで、第１破砕ローラ並びに第２破砕ローラ及び第３破砕ローラにおいて破砕されることなく通過させる。
一方、破砕対象物は、第１破砕ローラによる一次破砕において、第１破砕ローラの破砕刃の噛み込みにより、破砕及び送り込みを確実に行うことができ、また、第２破砕ローラ及び第３破砕ローラによる二次破砕において、確実に破砕する。
これにより、家電製品等の破砕不適物を含む廃棄物の破砕処理を、有価物の回収率を高く維持しながら、効率的に行うことができる。
この場合において、破砕装置に、破砕不適物を含む廃棄物を投入するホッパを備え、該ホッパに、投入された廃棄物を第１破砕ローラに向けて押し出す押し込み機構を設け、該押し込み機構と前記支持突起とにより、破砕対象物を第１破砕ローラにより噛み込むようにして破砕するようにすることができる。
これにより、ホッパに投入された廃棄物は、押し込み機構により、第１破砕ローラに向けて押し出されるとともに、その先端は支持突起により支持されて自由な移行が阻止され、第１破砕ローラの噛み込みにより順次確実に破砕され、移行される。
また、第３破砕ローラの主スクリュー刃に、破断刃を着脱可能に突出して取り付けることができる。
これにより、第２破砕ローラ及び第３破砕ローラにおいて破砕されずに偏平状に圧縮されて排出されようとする破砕対象物を、確実に破砕して排出するとともに、破砕対象物と破砕不適物の分離を確実に行うようにする。
また、破砕装置に、排出される破砕物を受けるコンベアを備え、該コンベアは、所要の傾斜角を付与して設置し、排出される破砕不適物を自重により落下させ、破砕された破砕物をコンベアに載せて上方に移行させるようにすることができる。
これにより、コンベア上に排出された破砕されずに塊状のままの破砕不適物を、その形状と自重により転がるようにして落下させ、破砕され偏平状となった破砕物を、転がったり、滑ることなくコンベアに載置された状態で上方に移行させて、自動的に両者を分離して排出する。
【図面の簡単な説明】
第１図は本発明の破砕不適物を含む廃棄物の破砕装置の第１実施例を示す断面図であり、第２図はその第１破砕ローラの正面図、第３図はその第２破砕ローラの正面図、第４図は第３破砕ローラの正面図である。
また、第５図は本発明の破砕不適物を含む廃棄物の破砕装置の第２実施例を示す断面図であり、第６図はその第３破砕ローラの正面図である。
発明を実施するための最良の形態
以下、本発明を図面に示す実施例に基づいて説明する。
第１図〜第４図に、本発明の破砕不適物を含む廃棄物の破砕装置の第１実施例を示す。
この破砕装置１は、上部にホッパ２を形成し、下部を開放した筐体３のホッパ２の下部の一側に、第１破砕ローラ４と、その後方に位置して第２破砕ローラ５と、この第２破砕ローラ５に対向して第３破砕ローラ６とを備える。
この場合、ホッパ２の下部の他側には、第１破砕ローラ４に対向して押し込み機構７を配設し、また、第１破砕ローラ４の直下位置のホッパ２の底板２ａには、支持突起８を設けるようにする。
これにより、ホッパ２に投入された家電製品等のモータ、コンプレッサ等の破砕不適物Ｍを含む廃棄物Ｗが、押し込み機構７により、第１破砕ローラ４に向けて押し出されたとき、廃棄物Ｗの先端を支持突起８により支持して自由な移行を阻止し、第１破砕ローラ４の噛み込みにより順次確実に破砕され、移行されるようにする。
第１破砕ローラ４は、回転軸１０に粗い間隔ａを設けて多数の破砕刃１１を突出して取り付けて構成するようにする。
この破砕刃１１は、廃棄物Ｗに含まれる破砕不適物Ｍが、破砕刃１１の間隙に入り込んで、第１破砕ローラ４において破砕されることなく通過するとともに、廃棄物Ｗへの噛み込みが容易な高さｂに形成し、好ましくは、その刃先が廃棄物Ｗに食い込み易いように、刃先を鋭角に形成するようにする。
また、第１破砕ローラ４の直上位置の筐体３には、第１破砕ローラ４の破砕刃１１の隙間に挿入される固定刃１３を配設し、破砕刃１１に付着して移行する破砕物を掻き落とすようにする。
第２破砕ローラ５は、回転軸１４にスクリュー刃１５を取り付けてなるもので、このスクリュー刃１５は、破砕不適物Ｍがスクリュー刃１５の間隙に入り込んで、破砕されることなく通過することができる、粗いピッチと、高さを有するとともに、第３破砕ローラ６と協動して、フレーム等の破砕対象物を破砕するようにしたものである。
この場合、スクリュー刃１５は、破砕に際して破砕対象物が側方へ移行するのを阻止するため、スクリュー刃を二分して左右逆方向のねじれとしたスクリュー刃１５ａ，１５ｂで以て構成することが好ましい。
第３破砕ローラ６は、回転軸１６に主スクリュー刃１７と、この主スクリュー刃１７とで桝目９を形成するように主スクリュー刃１７とは逆方向のねじれの主スクリュー刃１７より粗いピッチの副スクリュー刃１８を取り付けてなるもので、この主スクリュー刃１７と副スクリュー刃１８は、破砕不適物Ｍがこれらの間隙、すなわち、桝目９に入り込んで、破砕されることなく通過することができる、粗いピッチと、高さを有するようにする。
この場合、主スクリュー刃１７と副スクリュー刃１８は、破砕に際して破砕対象物が側方へ移行するのを阻止するため、スクリュー刃を二分して左右逆方向のねじれとしたスクリュー刃１７ａ，１７ｂ，１８ａ，１８ｂで以て構成することが好ましい。
また、副スクリュー刃１８は、主スクリュー刃１７と同一の高さに形成してもよいが、破砕不適物Ｍを噛むおそれがあり、若干中央部を凹状に形成して逃げを形成することが好ましい。
また、第３破砕ローラ６は、第２破砕ローラ５に対し間隔を調整するため、取り付け位置の調整手段（図示省略）を設けることが好ましい。
そして、筐体３の排出側には、コンベア２０を取り付けるようにする。
このコンベア２０は、所要の傾斜角を付与して設置し、コンベア２０上に排出された破砕されずに塊状のままの破砕不適物Ｍを、その形状と自重により転がるようにして落下させ、破砕され偏平状となった破砕物Ｐを、転がったり、滑ることなくコンベア２０に載置された状態で上方に移行させて、自動的に両者を分離して排出するものである。なお、コンベア２０の傾斜角は任意に調整することができる。
この破砕不適物を含む廃棄物の破砕装置１において、ホッパ２に投入された廃棄物Ｗは、押し込み機構７により第１破砕ローラ４側に押し出され、第１破砕ローラ４により破砕されるとともに、第２破砕ローラ５及び第３破砕ローラ６に向けて送り出される。
このとき、廃棄物Ｗに含まれる破砕不適物Ｍは、第１破砕ローラ４の破砕刃１１の間隙に入り込んで、第１破砕ローラ４において破砕されることなく通過し、一方、破砕対象物は、第１破砕ローラの破砕刃１１の噛み込みにより、確実に送り込まれ、一次破砕される。
そして、第２破砕ローラ５及び第３破砕ローラ６は、協動して、第１破砕ローラ４によって一次破砕された破砕対象物を二次破砕する。
このとき、破砕不適物Ｍは、第２破砕ローラ５のスクリュー刃１５の間隙又は第３破砕ローラ６の主スクリュー刃１７と副スクリュー刃１８の間隙（桝目９）に入り込んで、第２破砕ローラ５及び第３破砕ローラ６において破砕されることなく通過し、一方、破砕対象物は、第２破砕ローラ５及び第３破砕ローラ６により、確実に二次破砕される。
そして、破砕された廃棄物Ｗは、所要の傾斜角を付与して設置したコンベア２０上に排出されるが、このとき、破砕されずに塊状のままの破砕不適物Ｍは、その形状と自重により転がるようにして落下し、破砕され偏平状となった破砕物Ｐは、転がったり、滑ることなくコンベア２０に載置された状態でコンベア２０の移動に合わせて上方に移行して、自動的に両者を分離して排出される。
次に、第５図〜第６図に、本発明の破砕不適物を含む廃棄物の破砕装置の第２実施例を示す。
この破砕装置１Ａは、上記第１実施例の破砕装置１の第３破砕ローラ６を変形したもので、この第３破砕ローラ６Ａは、回転軸１６に主スクリュー刃１７と、この主スクリュー刃１７とで桝目９を形成するように主スクリュー刃１７とは逆方向のねじれの主スクリュー刃１７より粗いピッチの副スクリュー刃１８を取り付けるとともに、主スクリュー刃１７に、複数の破断刃１９を着脱可能に突出して取り付けるようにしたもので、これにより、第２破砕ローラ５及び第３破砕ローラ６Ａにおいて破砕されずに偏平状に圧縮されて排出されようとする破砕対象物を、確実に破砕して排出することができるようにするとともに、破砕対象物と破砕不適物Ｍの分離を確実にできるようにしたものである。
なお、本実施例の破砕装置１Ａのその他の構成及び作用は、上記第１実施例の破砕装置１と同様である。
産業上の利用可能性
本発明の破砕不適物を含む廃棄物の破砕方法及びその装置によれば、モータ、コンプレッサ等の破砕不適物を取り除くことなく廃棄物をそのまま破砕するようにしても、破砕不適物を変形することなく分離して排出し、フレーム等の破砕対象物を確実に破砕することができ、家電製品等の破砕不適物を含む廃棄物の破砕処理を、有価物の回収率を高く維持しながら、効率的に行うことができる。
【図１】
0004141506.tif 000002
【図２】
0004141506.tif 000003
【図３】
0004141506.tif 000004
【図４】
0004141506.tif 000005
【図５】
0004141506.tif 000006
【図６】
0004141506.tif 000007